(57)【要約】【課題】ケーブルコネクタの抜き取り作業を容易に行うことができようにし、抜き取り作業の作業効率を向上させる。【解決手段】弾性を有する板材を略Ｕ字形に曲げ、その曲面１１を境に一方の平板部１２を他方の平板部１３より長くすると共に、その長い方の平板部１２の先端を短い方の平板部１３と反対の方向に折り曲げて斜面１４とし、また短い方の平板部１３の先端を長い方の平板部１２側にほぼ直角に曲げて係合部１５を形成した構造とした。【選択図】        図１
2006100008.tif 000002
【特許請求の範囲】
【請求項１】
弾性を有する板材を略Ｕ字形に曲げ、その曲面を境に一方の平板部を他方の平板部より長くすると共に、その長い方の平板部の先端を短い方の平板部と反対の方向に折り曲げて斜面とし、また短い方の平板部の先端を長い方の平板部側にほぼ直角に曲げて係合部を形成した構造を持ち、
ケーブルの端部に設けられたケーブルコネクタの後方から前記平板部で前記ケーブルコネクタを挟み込むように挿入して行くと、前記長い方の平板部に形成されている斜面が前記ケーブルコネクタに傾斜して浮き上がるように設けられているアームを押し下げると共に、前記短い方の平板部に形成されている係合部が前記ケーブルコネクタの段差面に引っ掛かって係合するようにしたことを特徴とするケーブルコネクタ引き抜き工具。
【請求項２】
請求項１に記載のケーブルコネクタ引き抜き工具において、
前記曲面に前記ケーブルと嵌合する切り欠き部を左右の一側からほぼ中央に達するように設けたことを特徴とするケーブルコネクタ引き抜き工具。
【請求項３】
請求項１に記載のケーブルコネクタ引き抜き工具において、
幅方向中央部に前記ケーブルと嵌合する切り欠き部を前記係合部から前記曲面の中央に達するように設けたことを特徴とするケーブルコネクタ引き抜き工具。
【発明の詳細な説明】
【技術分野】
【０００１】
本発明は、ケーブルコネクタを相手方コネクタから抜き取るためのコネクタ抜き取り工具に関するものである。
【背景技術】
【０００２】
電子機器を接続するＬＡＮ等に用いられるケーブルのコネクタ装置として、例えば、下記特許文献１に示されるものがある。
図６はその特許文献１に示されるコネクタ装置を示す斜視図である。
１は例えばＬＡＮケーブル等のデータ通信用のケーブル、２はこのケーブル１に端部に取り付けられたケーブルコネクタである。
【０００３】
このケーブルコネクタ２には、弾性を有するアーム３が一体に形成され、このアーム３はケーブルコネクタ２の片面（例えば上面）側で斜めに浮き上がるように設けられていて、その先端はケーブルコネクタ２の先端に固定されており、そしてアーム３の所定の位置には横方向に張り出した係止部４が設けられている。
また、ケーブルコネクタ２の他面（例えば下面）側後部には突部が設けられていて、この突部によりほぼ垂直の段差面５が形成されている。
【０００４】
６は箱状の相手方コネクタで、その正面にケーブルコネクタ２が挿入されると挿入穴７ａ、係止部４が挿入される挿入穴７ｂと、アーム３の逃げ穴７ｃが３段階の幅を持つように一体に形成されている。
このような構成において、ケーブルコネクタ２を指で摘んで相手方コネクタ６の挿入穴７ａに挿入して行くと、それに伴ってアーム３が挿入穴７ｂに挿入されると共に、挿入穴７ｂの上縁部によりアーム３の係止部４が押され、これによりアーム３が押し下げられる。
【０００５】
そして、アーム３の係止部４が挿入穴７ｂを通過すると、アーム３が自身の弾性力により斜めの状態に復旧して逃げ穴７ｃ内に入り込み、これにより係止部４が逃げ穴７ｃの両側部分に係止してケーブルコネクタ２が相手方コネクタ６にロックされ、この状態でケーブルコネクタ２と相手方コネクタ６の図示しない接触子同士が接触して電気的に接続した状態となる。
【０００６】
ケーブルコネクタ２を相手方コネクタ６から抜き取る場合は、人差し指等でアーム３を押し下げ、これにより係止部４を逃げ穴７ｃの両側部分から外すと共に、空いている指でケーブルコネクタ２を摘んで手前引き抜くことで、ケーブルコネクタ２を相手方コネクタ６から抜き取ることができる。
【特許文献１】特開平１１−１８５８８４号公報（段落「００３３」〜段落「００３６」、図１、図３、図５）
【発明の開示】
【発明が解決しようとする課題】
【０００７】
しかしながら、上述した従来の技術においては、以下の問題がある。
図７は従来技術の問題点を示す図で、この図７に示したように複数のケーブルコネクタ２を１つの相手方コネクタ６に密集した形で接続している場合、指でケーブルコネクタ２を指で摘んで抜き取ることが困難であり、作業性が悪いという問題がある。
本発明は、このような問題を解決することが可能なコネクタケーブル抜き取り工具を提供することを課題とする。
【課題を解決するための手段】
【０００８】
そのため、本発明のケーブルコネクタ引き抜き工具は、弾性を有する板材を略Ｕ字形に曲げ、その曲面を境に一方の平板部を他方の平板部より長くすると共に、その長い方の平板部の先端を短い方の平板部と反対の方向に折り曲げて斜面とし、また短い方の平板部の先端を長い方の平板部側にほぼ直角に曲げて係合部を形成した構造を持ち、ケーブルの端部に設けられたケーブルコネクタの後方から前記平板部で前記ケーブルコネクタを挟み込むように挿入して行くと、前記長い方の平板部に形成されている斜面が前記ケーブルコネクタに傾斜して浮き上がるように設けられているアームを押し下げると共に、前記短い方の平板部に形成されている係合部が前記ケーブルコネクタの段差面に引っ掛かって係合するようにしたことを特徴とする。
【発明の効果】
【０００９】
このようにした本発明は、前記のように係合部を前記ケーブルコネクタの段差面に引っ掛かって係合させた後、前記曲面の内側に指を差し込んで手前に引くだけでケーブルコネクタを相手方コネクタから容易に抜き取ることができ、そのためケーブルコネクタが密集した形で相手方コネクタに接続している場合でも、ケーブルコネクタの抜き取り作業を容易に行うことができ、抜き取り作業の作業効率を向上させることができる。
【発明を実施するための最良の形態】
【００１０】
以下、図面を参照して本発明によるケーブルコネクタ抜き取り工具の実施例を説明する。
【実施例】
【００１１】
図１は第１の実施例を示す斜視図である。
図において１０は弾性を有するプラスチック板材や金属板材により形成されたケーブルコネクタ抜き取り工具で、このケーブルコネクタ抜き取り工具１０は、前記板材を略Ｕ字形に曲げてその曲面１１を境に一方の平板部１２を他方の平板部１３より長くすると共に、その長い方の平板部１２の先端を短い方の平板部１３と反対の方向に折り曲げて斜面１４とし、また短い方の平板部１３の先端を長い方の平板部１２側にほぼ直角に曲げて係合部１５を形成した構造としている。
【００１２】
ここで、２つの平板部１２，１３間の間隔は、ケーブルコネクタ２（図２及び図３参照）の段差面５を含む厚さに、アーム３がケーブルコネクタ２と平行になったときの厚さを加えた寸法より大きめになるように設定している。
上述した構成による第１の実施例の作用について説明する。
図２は第１の実施例の作用を示す斜視図、図３は同じく第１の実施例の作用を示す側面図である。
【００１３】
図２は複数のケーブルコネクタ２を１つの相手方コネクタ６に上下２段に密集した形で接続している状態を示し、各ケーブルコネクタ２は相手方コネクタ６の挿入穴７ａに挿入され、各ケーブルコネクタ２のアーム３が逃げ穴７ｃ内に入り込み、これにより係止部４が逃げ穴７ｃの両側部分に係止してケーブルコネクタ２が相手方コネクタ６にロックされた状態となっている。
【００１４】
そこで、この状態において、例えば上段のケーブルコネクタ２を相手方コネクタ６から抜き取る場合、目的とするケーブルコネクタ２が設けられているケーブル１を横方向に適宜に曲げて逃がし、そのケーブルコネクタ２の後方からケーブルコネクタ抜き取り工具１０を平板部１２及び１３でケーブルコネクタ２を挟み込むように挿入して行くと、まず、平板部１２に先端に形成されている斜面１４がケーブルコネクタ２のアーム３の後端に当たるので、そのまま続けてケーブルコネクタ抜き取り工具１０を挿入して行くと、アーム３は斜面１４を滑りながら押し下げられて行く。
【００１５】
そして、更にケーブルコネクタ抜き取り工具１０を挿入して行くと、図３に示したようにアーム３の後端がケーブルコネクタ抜き取り工具１０の平板部１２の下側に入り込み、アーム３に設けられた係止部４が逃げ穴７ｃの両側部分から外れる。
これとほぼ同時に平板部の先端に形成されている係合部１５がケーブルコネクタ２の段差面に引っ掛かって係合するので、この状態で人指し指等の指先をケーブルコネクタ抜き取り工具１０の曲面１１の内側に差し込み、その指先で曲面１１を手前に引くことでケーブルコネクタ２を相手方コネクタ６から抜き取ることができる。
【００１６】
尚、下段のケーブルコネクタ２を抜き取る場合は、ケーブルコネクタ抜き取り工具１０を上下逆にして使用すればよい。
以上説明したように第１の実施例によれば、ケーブルコネクタ抜き取り工具１０をケーブルコネクタ２の後方から挿入すると、ケーブルコネクタ２のアーム３が押し下げられてアーム３に設けられた係止部４が相手方コネクタ６の逃げ穴７ｃの両側部分から外れ、これとほぼ同時に平板部の先端に形成されている係合部１５がケーブルコネクタ２の段差面５に引っ掛かって係合するので、後はケーブルコネクタ抜き取り工具１０を引くだけでケーブルコネクタ２を相手方コネクタ６から容易に抜き取ることができる。
【００１７】
従って、ケーブルコネクタ２が密集した形で相手方コネクタ６に接続している場合でも、ケーブルコネクタ２の抜き取り作業を容易に行うことができ、抜き取り作業の作業効率を向上させることができる。
図４は本発明の第２の実施例を示す斜視図、図５本発明の第３の実施例を示す斜視図である。
【００１８】
図４に示した第２の実施例は、第１の実施例のケーブルコネクタ抜き取り工具１０の曲面１１にケーブル１の直径より幅の広い切り欠き部１６を左右の一側からほぼ中央に達するように設けたもので、また図５に示した第３の実施例は、第１の実施例のケーブルコネクタ抜き取り工具１０の幅方向中央部に係合部１５から曲面１１の中央に達する切り欠き部１７を設けたものである。
【００１９】
このようにした第２の実施例、第３の実施例によれば、ケーブルコネクタ２を相手方コネクタ６から抜き取る場合、第２の実施例では、目的とするケーブルコネクタ２が設けられているケーブル１の左右方向からケーブルコネクタ抜き取り工具１０の切り欠き部１６をそのケーブルに嵌め、また第３の実施例では、目的とするケーブルコネクタ２が設けられているケーブル１の上下方向からケーブルコネクタ抜き取り工具１０の切り欠き部１７をそのケーブル１に嵌めた後、第１の実施例と同様の操作でケーブルコネクタ２を相手方コネクタ６から抜き取ることができる。
【００２０】
以上説明したように、第２，第３の実施例によれば第１の実施例と同様に、ケーブルコネクタ２が密集した形で相手方コネクタ６に接続している場合でも、ケーブルコネクタ２の抜き取り作業を容易に行うことができ、抜き取り作業の作業効率を向上させることができるという効果が得られると共に、ケーブル１の嵌め合わせる切り欠き部１６または１７を設けているので、工具挿入の際にケーブル１を曲げて逃がす必要が無くなり、ケーブル１に負荷を与えなくて済むという効果も得られる。
【図面の簡単な説明】
【００２１】
【図１】第１の実施例を示す斜視図
【図２】第１の実施例の作用を示す斜視図
【図３】第１の実施例の作用を示す側面図
【図４】第２の実施例を示す斜視図
【図５】第３の実施例を示す斜視図
【図６】コネクタ装置を示す斜視図
【図７】従来技術の問題点を示す斜視図
【符号の説明】
【００２２】
１    ケーブル
２    ケーブルコネクタ
３    アーム
４    係止部
５    段差面
６    相手方コネクタ
７ａ  挿入穴
７ｂ  挿入穴
７ｃ  逃げ穴
１０  ケーブルコネクタ抜き取り工具
１１  曲面
１２  平板部
１３  平板部
１４  斜面
１５  係合部
１６  切り欠き部
１７  切り欠き部
【図１】
2006100008.tif 000003
【図２】
2006100008.tif 000004
【図３】
2006100008.tif 000005
【図４】
2006100008.tif 000006
【図５】
2006100008.tif 000007
【図６】
2006100008.tif 000008
【図７】
2006100008.tif 000009